(57)【要約】【課題】  作業者が屋根上等に上がらなくても安全装置を屋根上等に設置することができるようにすること。【解決手段】  伸縮可能な操作棒３１を縮めた状態で、リール４１から巻き戻されたガイド用ロープ４３が操作棒３１の先端部３３に取り付けられたロープ支持リング４６ｅを挿通するようにするとともに、ガイド用ロープ４３の先端部４３ａに錘４５を取り付け、つぎに、操作棒３１を伸ばして、操作棒３１が屋根１２の棟１３を越えた状態で、さらにリール４１からガイド用ロープ４３を巻き戻し、ガイド用ロープ４３の先端部４３ａを錘４５の重力により下降させて地面１０上に降ろし、その後、ガイド用ロープ４３の先端部４３に親綱４６の先端部４６ａを結び付け、ガイド用ロープ４３をリール４１に巻き取るとともに、操作棒３１を縮めて、親綱４６を牽引して親綱４６を屋根２１上に張り渡した後、親綱４６に安全装置３０を取り付ける。【選択図】        図４
2005325562.tif 000002
【特許請求の範囲】
【請求項１】
作業者の安全のための安全装置を屋根上等に取り付ける方法であって、
伸縮可能な操作棒を縮めた状態で、リールから巻き戻されたガイド用ロープが前記操作棒の先端部に取り付けられたロープ支持リングを挿通するようにするとともに、ガイド用ロープの先端部に錘を取り付け、
つぎに、前記操作棒を伸ばして、前記操作棒が前記屋根上等の最上部を越えた状態で、さらに前記リールから前記ガイド用ロープを巻き戻し、前記ガイド用ロープの先端部を前記錘の重力により下降させて地上等に降ろし、
その後、前記ガイド用ロープの先端部に親綱の先端部を結び付け、前記ガイド用ロープを前記リールに巻き取るとともに、前記操作棒を縮めて、前記親綱を牽引して前記親綱を前記屋根上等に張り渡した後、
前記親綱に前記安全装置を取付けることを特徴とする安全装置の取付方法。
【請求項２】
請求項１に記載した安全装置の取付方法であって、
前記操作棒の基部を梯子の上部に取り付け、この梯子を前記屋根の軒に立てかけることを特徴とする安全装置の取付方法。
【請求項３】
請求項１または２に記載した安全装置の取付方法に使用する取付装置であって、
各部分のうち少なくとも一つの部分を他の筒状の部分内に挿入する程度を変えることにより伸縮自在な操作棒と、前記操作棒の各部分に取り付けられたロープ支持リングと、前記各ロープ支持リングを挿通したガイド用ロープと、前記ガイド用ロープの先端部に取り付けられた錘と、前記ガイド用ロープを巻き取りかつ巻き戻し可能なリールを具備することを特徴とする取付装置。
【請求項４】
請求項３に記載した取付装置であって、
前記操作棒の各部分のうち少なくとも先端側の部分が可撓性のものであることを特徴とする取付装置。
【発明の詳細な説明】
【技術分野】
【０００１】
本発明は、屋根上等に作業者の安全装置を取り付ける安全装置の取付方法および取付装置に関し、特に作業者が屋根上等に上がらなくても簡単に安全装置を屋根上等に取り付けることができる取付方法および取付装置に関するものである。
【背景技術】
【０００２】
従来、屋根上等にて作業を行う作業者の安全を図るために安全装置を設置することが行われている。この安全装置の例として、屋根の棟を跨ぐようにして笠木と屋根瓦との間に引っ掛けられる引掛部材があって、この引掛部材どうしを一端で連結して二股の引掛具とし、さらに、この引掛具の連結部分にロープ体を設けたものがある（例えば、特許文献１参照）。
【特許文献１】特開平１１−２４７３８８号
【発明の開示】
【発明が解決しようとする課題】
【０００３】
しかし、上述の従来例では、安全装置を屋根上等に設置するために、作業者が屋根上等に上がる必要があるが、近年の切妻屋根、片流れ屋根等においては屋根面の傾斜が大きくなる傾向があり、この傾斜が４５度位になる場合がある。このため、作業者が屋根上に上がることが不可能な場合がある。
本発明はこのような点に鑑みてなされたものであり、その課題は、作業者が屋根上等に上がらなくても安全装置を屋根上等に設置することができる安全装置の取付方法および取付装置を提供することである。
【課題を解決するための手段】
【０００４】
上記課題を解決するため、請求項１記載の発明は、作業者の安全のための安全装置を屋根上等に取り付ける方法であって、伸縮可能な操作棒を縮めた状態で、リールから巻き戻されたガイド用ロープが前記操作棒の先端部に取り付けられたロープ支持リングを挿通するようにするとともに、ガイド用ロープの先端部に錘を取り付け、つぎに、前記操作棒を伸ばして、前記操作棒が前記屋根上等の最上部（例えば屋根の棟）を越えた状態で、さらに前記リールから前記ガイド用ロープを巻き戻し、前記ガイド用ロープの先端部を前記錘の重力により下降させて地上等に降ろし、その後、前記ガイド用ロープの先端部に親綱の先端部を結び付け、前記ガイド用ロープを前記リールに巻き取るとともに、前記操作棒を縮めて、前記親綱を牽引して前記親綱を前記屋根上等に張り渡した後、前記親綱に前記安全装置を取付けることを特徴とする安全装置の取付方法である。
これにより、伸縮可能な操作棒を縮めた状態で、リールから巻き戻されたガイド用ロープが前記操作棒の先端部に取り付けられたロープ支持リングを挿通するようにし、ガイド用ロープの先端部に錘を取り付ける。つぎに、前記操作棒を伸ばして、前記操作棒が前記屋根上等の最上部を越えた状態で、さらに前記リールから前記ガイド用ロープを巻き戻し、前記ガイド用ロープの先端部を前記錘の重力により下降させて地上等に降ろす。その後、前記ガイド用ロープの先端部に親綱の先端部を結び付け、前記ガイド用ロープを前記リールに巻き取るとともに、前記操作棒を縮めて、前記親綱を牽引して前記親綱を前記屋根上等に張り渡す。その後、前記親綱に前記安全装置を取付けることにより前記安全装置を前記屋根上等に容易に取り付けることができる。
【０００５】
さらに、請求項２記載の発明は、請求項１記載の発明において、前記操作棒の基部を梯子の上部に取り付け、この梯子を前記屋根の軒に立てかけることである。
これにより、前記屋根の軒に立てかけた梯子に作業者が登って、前記梯子の上部に取り付けた操作棒を操作し、屋根上に張り渡した親綱に安全装置を取り付けることができる。
【０００６】
さらに、請求項３記載の発明は、請求項１または２に記載した安全装置の取付方法に使用する取付装置であって、各部分のうち少なくとも一つの部分を他の筒状の部分内に挿入する程度を変えることにより伸縮自在な操作棒と、前記操作棒の各部分に取り付けられたロープ支持リングと、前記各ロープ支持リングを挿通したガイド用ロープと、前記ガイド用ロープの先端部に取り付けられた錘と、前記ガイド用ロープを巻き取りかつ巻き戻し可能なリールを具備することを特徴とする取付装置である。
これにより、取付装置の操作棒が各部分からなり、この各部分のうち少なくとも一つの部分を他の筒状の部分内に挿入する程度を変えることにより操作棒を伸縮することができる。そして、前記操作棒の各部分に取り付けられたロープ支持リングにガイド用ロープを挿通し、前記リールによりガイド用ロープを巻き戻して、前記ガイド用ロープの先端部に取り付けられた錘の重力によりガイド用ロープの先端部を操作棒の先端部のロープ支持リングから地上等に下降させることができ、さらに、ガイド用ロープの先端部に親綱の先端部を結び付けた状態でリールによりガイドロープを巻き取ると、親綱を屋根上等に容易に張り渡すことができるので、この取付装置を使用することにより請求項１または２記載の安全装置の取付方法を容易に実施することができる。
【０００７】
さらに、請求項４記載の発明は、請求項３記載の発明において、前記操作棒の各部分のうち少なくとも先端側の部分が可撓性のものであることである。
これにより、前記ガイド用ロープの先端部に取り付けられた錘の重力によりガイド用ロープの先端部を操作棒の先端部のロープ支持リングから地上等に下降させるときに、前記操作棒のうち少なくとも先端側の部分が前記錘の重力により下方に撓むと、この取付装置を使用することにより請求項１または２記載の安全装置の取付方法を一層容易に実施することができる。
【発明の効果】
【０００８】
請求項１記載の発明によれば、作業者の安全装置を屋根上等に容易に取り付けることができる。
さらに、請求項２記載の発明によれば、請求項１記載の発明の効果とともに、作業者の安全装置を屋根上等に一層容易に取り付けることができる。
さらに、請求項３記載の発明によれば、請求項１または２記載の安全装置の取付方法を容易に実施することができる。
さらに、請求項４記載の発明によれば、請求項３記載の発明の効果とともに、請求項１または２記載の安全装置の取付方法を一層容易に実施することができる。
【発明を実施するための最良の形態】
【０００９】
以下、本発明における実施の形態を図面に基づいて説明する。
図１は、本発明の実施の形態に係る安全装置の取付装置を梯子に取り付けた状態の正面を示し、図２は図１の取付装置を梯子に取り付ける取付具の平面を示し、図３は図２の取付具をＡ方向から見た状態を示す。さらに、図４は図１の取付装置を使用して安全装置を取り付ける方法を示し、図５は図４の続きを示し、図６は図５において屋根の軒に雨樋がある場合を示す。
【００１０】
図５に示すように、地面１０上に建設された家屋１１の屋根１２は棟１３の両側に傾斜した屋根面１４ａ、１４ｂを形成したものである。
このような屋根１２上の作業者５２の転落を防ぐ安全装置４８の取付方法に使用する取付装置３０は、図１に示すように、順に第１部分３４ａ、第２部分３４ｂ、第３部分３４ｃ、第４部分３４ｄ、第５部分３４ｅを有し、この各部分３４ａ、３４ｂ、３４ｃ、３４ｄ、３４ｅのうち少なくとも一つの部分を他の筒状の部分内に挿入する程度を変えることにより伸縮自在な操作棒３１（なお、図１では、筒状の第１部分３４ａに筒状の第２部分３４ｂが挿入され、第２部分３４ｂに筒状の第３部分３４ｃが挿入され、第３部分３４ｃに筒状の第４部分３４ｄが挿入され、第４部分３４ｄに棒状の第５部分３４ｅが挿入されている。）と、操作棒３１の各部分３４ａ〜３４ｅに取り付けられたロープ支持リング３６ａ、３６ｂ、３６ｃ、３６ｄ、３６ｅと、このロープ支持リング３６ａ、３６ｂ、３６ｃ、３６ｄ、３６ｅを挿通するガイド用ロープ４３と、このガイド用ロープ４３の先端部４３ａに取り付けられた錘４５と、前記ガイド用ロープ４３を巻き取りかつ巻き戻し可能なリール４１とを備えている。そして、操作棒３１の各部分３４ａ〜３４ｅのうち少なくとも先端部３３側の部分（３４ｅ等）が可撓性のものである。
【００１１】
操作棒３１の基部３２は筒状側壁の収納ケース３７に収納されている。収納ケース３７は取付具３８、３９により梯子２０の上部２４に取り付けられている。なお、梯子２０は一対の支柱２１、２２間に多数の横桟２３を固定したものである。
なお、図２に示すように、取付具３８は、収納ケース３７を保持するバンド状の保持部３８ａと保持部３８ａに溶接等により固定された取付部３８ｃを備えている。保持部３８ａには蝶ねじ３８ｂが螺合し、この蝶ねじ３８ｂを締めつけると収納ケース３７を固定することができる。また、取付部３８ｃは支柱２１を取り巻くことができる四角形の枠状であり、蝶番３８ｇにより開閉可能であり、取付部３８ｃの突起部３８ｆの内側の溝部３８ｅ（図３参照）に係合しているボルト状部３８ｄに螺合する蝶ねじ３８ｈにより取付部３８ｃを支柱２１に着脱できる。取付具３９は、取付具３８と同様のものである。
【００１２】
図１に示すように、リール４１は、リール４１の側面のつまみ４１ｂにより軸４１ａを回転中心として回動可能であり、リール４１を矢印４１ｃの方向に回転させるとガイド用ロープ４３を巻き取り、逆にリール４１を矢印４１ｃと反対方向に回転させるとガイド用ロープ４３を巻き戻す。このリール４１はリール取付具４２により支柱２１の上部２４に取り付けられている。このリール取付具４２は、その図示左端部がリール４１の軸４１ａに固定され、その右端部が図示しないねじ等により支柱２１の上部２４に取り付けられている。
【００１３】
上述の取付装置３０を使用して以下のように作業者５２の安全のための安全装置４８を屋根１２上に取り付けることができる。
図１のように、操作棒３１の基部３２を梯子２０の支柱２１の上部２４に取り付け、図５のように、この梯子２０を屋根１２の屋根面１４ａの軒１５ａに立てかける。そして、操作棒３１を縮めた状態で、リール４１から巻き戻されたガイド用ロープ４３が操作棒３１の先端部３３（第５部分３４ｅの先端部）に取り付けられたロープ支持リング３６ｅを挿通するようにするとともに、ガイド用ロープ４３の先端部４３ａに錘４５を取り付ける。つぎに、図４に示すように、操作棒３１を伸ばして、操作棒３１の先端部３３が屋根１２の棟１３上を越えた状態で、さらにリール４１からガイド用ロープ４３を巻き戻し、ガイド用ロープ４３の先端部４３ａを錘４５の重力により下降させて地面１０上等に降ろす。その後、ガイド用ロープ４３の先端部４３ａに親綱４６の先端部４６ａを結び付ける。
【００１４】
つぎに、ガイド用ロープ４３をリール４１に巻き取るとともに、操作棒３１を縮めて、親綱４６を牽引して、図５に示すように、親綱４６を屋根１２上に張り渡し、親綱４６の先端部４６ａを地面１０に駐車したトラック５１等に結び付けて固定し、親綱４６の図示左端部も同様に図示しないトラック等に固定する。その後、親綱４６に安全装置４８を取付ける。ここで、安全装置４８は作業者５２の腰を保持する安全帯４８ａ、安全帯４８ａに一端が連結されたロープ４８ｂおよびロープ４８ｂの他端に連結され、親綱４６に着脱自在に係止可能な係止具４８ｃを備えている。したがって、係止具４８ｃを親綱４６に係止させることにより、安全装置４８を親綱４６に取り付けることができる。
また、係止具４８ｃを親綱４６に取り付ける位置を変えることにより、作業者５２が親綱４６に沿って移動したときでも、作業者５２の安全を確保することができる。すなわち、作業者５２が梯子２０の上部２４に昇っているときは係止具４８ｃを実線で示す位置にて親綱４６に係止し、作業者５２が屋根１２上にいるときには係止具４８ｃを二点鎖線で示す位置にて親綱４６に係止する。このようにして、作業者５２の転落を防止し、作業者の安全を図ることができる。
【００１５】
さらに図６に示すように、屋根１２の軒１５ａに雨樋１６が配設されている場合には、親綱４６をプラスチック等のパイプ４９に通し、さらに、このパイプ４９の外側にリング状のクッションゴム４９ａ、４９ｂを配置し、このクッションゴム４９ａ、４９ｂを軒１５ａ近傍の屋根面１４ａ上に配置することにより、雨樋１６を保護することができる。
【００１６】
なお、上記実施の形態において、操作棒３１は５つの部分３４ａ〜３４ｅから成っているが、これに限定されず、操作棒３１の前記部分の数を任意に設定することができる。
また、屋根１２上に安全装置４８を取り付けているが、これに限定されず、屋根１２と同様なものの上に安全装置４８を取り付けることができる。
また、梯子２０を屋根面１４ａの軒１５ａに立てかけているが、これに限定されず、梯子２０を屋根面１４ｂの軒１５ｂに立てかけることもできる。
【図面の簡単な説明】
【００１７】
【図１】本発明の実施の形態に係る安全装置の取付装置を梯子に取り付けた状態の正面図である。
【図２】図１の取付装置を梯子に取り付ける取付具の平面図である。
【図３】図２の取付具をＡ方向から見た状態を示す部分図である。
【図４】図１の取付装置を使用して安全装置を取り付ける方法を示す説明図である。
【図５】図４の続きを示す説明図である。
【図６】図５において屋根の軒に雨樋がある場合の説明図である。
【符号の説明】
【００１８】
１０  地面
１２  屋根
１５ａ、１５ｂ  軒
２０  梯子
２４  上部
３０  取付装置
３１  操作棒
３２  基部
３３  先端部
３４ａ〜３４ｅ  操作棒の各部分
３６ａ〜３６ｅ  ロープ支持リング
４１  リール
４３  ガイド用ロープ
４３ａ  先端部
４５  錘
４６  親綱
４６ａ  先端部
４８  安全装置
５２  作業者
【図１】
2005325562.tif 000003
【図２】
2005325562.tif 000004
【図３】
2005325562.tif 000005
【図４】
2005325562.tif 000006
【図５】
2005325562.tif 000007
【図６】
2005325562.tif 000008